(57)【要約】【課題】トリガとコンタクトアームの双方がオン操作されたことを条件に打ち込みがなされる打ち込み工具において、トリガをオン操作したまま持ち運ぶ際にコンタクトアームが他部位に干渉等しても不用意な打ち込み動作がなされないようにする必要がある。圧縮エアにより動作する部位を有する従来のタイマー機構について、よりスムーズな動作がなされるようにする。【解決手段】トリガ１２のオン操作後、基準時間ｔが経過すると、アクチュエータ２４に対する電力供給が遮断されて作動軸２４ａが下動することにより、コンタクト規制部材２１がロック位置に移動してそのロックアーム部２１ｃによりコンタクトアーム６のオン操作が禁止された状態となる。アクチュエータ２４の迅速な動作によりロック状態をスムーズに得ることができる。【選択図】図１５
2018144123.tif 000002
【特許請求の範囲】
【請求項１】
トリガのオン操作とコンタクトアームのオン操作の双方がなされたことを条件に本体部の打ち込み動作がなされる打ち込み工具であって、
前記コンタクトアームがオン操作されていない状態で前記トリガがオン操作されると作動開始するタイマー機構を備えており、
該タイマー機構は、前記トリガのオン操作によりオンするタイマースイッチと、前記コンタクトアームのオン操作を規制するコンタクト規制部材を備え、前記タイマースイッチのオン時間が予め設定した基準時間を経過した時点で前記コンタクト規制部材がロック側に移動して前記コンタクトアームのオン操作が規制される構成とした打ち込み工具。
【請求項２】
請求項１記載の打ち込み工具であって、前記タイマースイッチは、前記トリガのオン操作によりオンし、前記コンタクトアームのオン操作によりオフする構成とした打ち込み工具。
【請求項３】
請求項２記載の打ち込み工具であって、前記タイマースイッチは、前記コンタクトアームのオフ操作によりオンする構成とした打ち込み工具。
【請求項４】
請求項１〜３の何れか１項に記載にした打ち込み工具であって、前記基準時間が経過した時点で前記コンタクト規制部材のロック側への移動を許容するアクチュエータを備えた構成とした打ち込み工具。
【請求項５】
請求項１〜４の何れか１項に記載した打ち込み工具であって、前記トリガのオフ操作により前記タイマースイッチがオフして、前記コンタクト規制部材がアンロック位置に戻される構成とした打ち込み工具。
【請求項６】
請求項１〜５の何れか１項に記載した打ち込み工具であって、前記トリガより先に前記コンタクトアームのオン操作がなされることにより、前記コンタクト規制部材のロック位置への移動が規制される構成とした打ち込み工具。
【請求項７】
トリガのオン操作とコンタクトアームのオン操作の双方がなされたことを条件に本体部の打ち込み動作がなされる打ち込み工具であって、
前記コンタクトアームがオン操作されていない状態で前記トリガがオン操作されると作動開始するタイマー機構を備えており、
該タイマー機構は、前記トリガのオン操作によりオンするトリガスイッチと、前記コンタクトアームのオン操作によりオンするコンタクトスイッチと、前記コンタクトアームのオン操作を規制するコンタクト規制部材を備え、前記トリガスイッチがオンで、前記コンタクトスイッチがオフ状態の時間が予め設定した基準時間を経過した時点で前記コンタクト規制部材がロック側に移動して前記コンタクトアームのオン操作が規制される構成とした打ち込み工具。
【請求項８】
請求項１〜７の何れか１項に記載した打ち込み工具であって、前記コンタクトアームのオン操作状態では、前記タイマー機構とは無関係に前記トリガのオン操作により打ち込み動作がなされる構成とした打ち込み工具。
【発明の詳細な説明】
【技術分野】
【０００１】
この発明は、釘打ち機等の打ち込み工具に関する。
【背景技術】
【０００２】
例えば圧縮エアを動力源とする釘打ち機では、打ち込みノーズ部の先端に設けたコンタクトアームを被打ち込み材に押し付けて射出口に対して相対的に上動させる操作（コンタクトアームのオン操作）と、トリガを指先で引く操作（トリガのオン操作）の双方がなされることを条件に工具本体部で打ち込み動作がなされるようになっており、一方のオン操作のみでは打ち込み動作がなされず、これにより不用意な打ち込み動作が回避されるようになっている。
【０００３】
また、この種の打ち込み工具では、コンタクトアームを先に被打ち込み材に押し付けてオン操作した後にトリガを引き操作して行う狙い打ち、コンタクトアームをオン操作したまま当該打ち込み工具を移動させつつトリガをオン操作して行う引き摺り打ち、トリガを引き操作したまま当該打ち込み工具を上下に振ってコンタクトアームをオンオフさせる振り打ち等の様々な打ち込み動作を行うことができる。狙い打ちや引き摺り打ちでは、打ち込み動作後に一旦トリガをオフさせないと次の打ち込み動作がなされない（単発打ち）。これに対して振り打ちでは、トリガを引き操作したままコンタクトアームのオンオフを繰り返すことにより連続して打ち込み動作を行うことができる（連発打ち）。
【０００４】
下記の特許文献１には、打ち込み駆動部への圧縮エアの供給、遮断を切り替えるヘッドバルブの動作を、電子制御されるソレノイドバルブを用いて行う技術が開示されている。特許文献２、３には、電子制御されるソレノイドバルブを用いて連発打ち、単発打ちの切り替えを行う構成とした打ち込み工具が開示されている。電子制御式のソレノイドバルブ（起動バルブ）を用いることにより、単発打ちや連発打ち等の打ち込み動作が適切に制御されるようになっている。ところが、特許文献１〜３に開示された技術では、起動バルブのステムを移動させる一部動力源として圧縮エアを用いる構成であるので、当該起動バルブのオンオフ動作に時間が掛かって打ち込み動作の速射性能が低下する問題があった。
【０００５】
下記の特許文献４には、コンタクトアームのオン操作とトリガのオン操作をそれぞれ個別にマイクロスイッチで検知し、コンタクトアームのオン操作後の経過時間をタイマー計測する構成を備えたモード切り替え技術が開示されている。特許文献４に開示されたモード切り替え技術によれば、単発打ちモードでは、コンタクトアームのオン操作後一定時間経過前にトリガがオン操作されることにより打ち込み動作がなされる。１回の打ち込み動作がなされた後における、連続した打ち込み動作の禁止状態がトリガのオフ操作によりリセットされる。連発打ちモードでは、トリガのオン操作後一定時間経過前にコンタクトアームのオン操作がなされることを条件にタイマーのリセットと打ち込み動作を繰り返すことができ、タイマー計測による一定時間内にコンタクトアームのオン操作がなされない時点でその後のオン操作が無効となって打ち込み動作禁止状態となり、若しくはコンタクトアームにロックピンを係合させてオフ位置にロックすることにより同じく打ち込み動作禁止状態となる。係るモード切り替え技術によれば、例えば連発打ちモードでグリップ部を把持してトリガをオン操作したまま持ち運ぶ際等にコンタクトアームを誤って他部位に接触させてしまった場合でも不用意な打ち込み動作が回避される。
【先行技術文献】
【特許文献】
【０００６】
【特許文献１】米国特許第５７３２８７０号明細書
【特許文献２】米国特許公開第２０１４／０１１０４５０号公報
【特許文献３】米国特許公開第２０１４／０１１０４５２号公報
【特許文献４】特許第３２８７１７２号公報
【発明の概要】
【発明が解決しようとする課題】
【０００７】
しかしながら、上記特許文献４に開示された技術によれば、手動操作式の起動バルブを用いるため速射性能の低下といった問題は生じないものの、電池の残容量が低下してマイクロスイッチやこれらの入力信号を受けて作動するコントローラ等に対する電源供給がなくなった場合あるいは遮断された時点で、打ち込み動作が全くなされなくなるため作業を中止せざるを得なくなる問題があった。この点は、特許文献１〜３に開示された技術についても同様で、電力供給が停止されるとそもそも起動用のバルブが作動しないため打ち込み動作を一切することができなくなる。
【０００８】
本発明は、上記従来の問題を解消するためになされたもので、電気制御用の電池（電力供給）がなくなった場合等でも打ち込み作業を続行できるようにすることを目的とする。
【課題を解決するための手段】
【０００９】
上記の課題は以下の各発明により解決される。第１の発明は、トリガのオン操作とコンタクトアームのオン操作の双方がなされたことを条件に本体部の打ち込み動作がなされる打ち込み工具である。第１の発明に係る打ち込み工具は、コンタクトアームがオン操作されていない状態でトリガがオン操作されると作動開始するタイマー機構を備えている。第１の発明に係るタイマー機構は、トリガのオン操作によりオンするタイマースイッチと、コンタクトアームのオン操作を規制するコンタクト規制部材を備え、タイマースイッチのオン時間が予め設定した基準時間を経過した時点でコンタクト規制部材がロック側に移動してコンタクトアームのオン操作が規制される構成となっている。
【００１０】
第１の発明によれば、先にトリガをオン操作した場合には、基準時間経過後にコンタクトアームのオン操作が規制されて打ち込み動作が禁止されるタイマー制御がなされる。係るタイマー制御により、例えばトリガをオン操作したまま当該打ち込み工具を持ち運ぶ場合に、基準時間経過後であればコンタクトアームを誤って他部位に干渉等させた場合であっても工具本体部における不用意な打ち込み動作を確実に防止することができる。
【００１１】
第１の発明では、コンタクト規制部材のアンロック位置からロック位置への移動について基準時間が設定されていることから、コンタクト規制部材のアンロック位置からロック位置への移動時間が基準時間に相当する。基準時間は、トリガのオン操作によりタイマースイッチがオンされた時点から計測される。基準時間の設定及び計測は、コンタクト規制部材の動作制御を行う制御手段によりなされる。コンタクト規制部材がロック位置に移動した状態では当該コンタクト規制部材が干渉してコンタクトアームのオン操作が物理的に規制される。第１の発明に係るタイマー機構は、先にトリガをオン操作した場合に機能する構成であり、先にコンタクトアームをオン操作した場合には機能しない。このため、タイマースイッチの作動に必要な電力の供給がなされない環境下であってタイマー機構が作動し得ない状況下においても、先にコンタクトアームをオン操作して行う形態の打ち込み動作を行うことができ、これにより打ち込み作業を続行することができる。
【００１２】
第２の発明は、第１の発明において、タイマースイッチは、トリガのオン操作によりオンし、コンタクトアームのオン操作によりオフする構成とした打ち込み工具である。
【００１３】
第２の発明によれば、トリガのオン操作後、基準時間が経過する前にコンタクトアームをオン操作することにより、タイマー機構の作動がキャンセル（初期状態にリセット）されて打ち込み動作がなされる。
【００１４】
第３の発明は、第２の発明において、タイマースイッチは、コンタクトアームのオフ操作によりオンする構成とした打ち込み工具である。
【００１５】
第３の発明によれば、打ち込み動作後、コンタクトアームがオフ操作されると、タイマースイッチがオンして基準時間が計測が開始される。係るタイマー機構作動状態はトリガをさらにオフ操作することによりキャンセルされて、当該タイマー機構が初期状態にリセットされる。
【００１６】
第４の発明は、第１〜第３の何れか一つの発明において、基準時間が経過した時点でコンタクト規制部材のロック側への移動を許容するアクチュエータを備えた構成とした打ち込み工具である。
【００１７】
第４の発明によれば、基準時間が経過した時点でアクチュエータが作動してコンタクト規制部材がロック側へ移動可能な状態となる。
【００１８】
第５の発明は、第１〜第４の何れか一つの発明において、トリガのオフ操作によりタイマースイッチがオフして、コンタクト規制部材がアンロック位置に戻される構成とした打ち込み工具である。
【００１９】
第５の発明によれば、トリガのオフ操作によりタイマー機構が初期状態にリセットされて、コンタクトアームをオン操作可能な状態（打ち込み工具の初期状態）となる。
【００２０】
第６の発明は、第１〜第５の何れか一つの発明において、トリガより先にコンタクトアームのオン操作がなされることにより、コンタクト規制部材のロック位置への移動が規制される構成とした打ち込み工具である。
【００２１】
第６の発明によれば、コンタクトアームがトリガよりも先にオン操作されると、タイマー機構の作動が規制され若しくは停止される。
【００２２】
第７の発明は、トリガのオン操作とコンタクトアームのオン操作の双方がなされたことを条件に本体部の打ち込み動作がなされる打ち込み工具である。第７の発明に係る打ち込み工具は、コンタクトアームがオン操作されていない状態でトリガがオン操作されると作動開始するタイマー機構を備えている。第７の発明では、タイマー機構は、トリガのオン操作によりオンするトリガスイッチと、コンタクトアームのオン操作によりオンするコンタクトスイッチと、コンタクトアームのオン操作を規制するコンタクト規制部材を備え、トリガスイッチがオンで、コンタクトスイッチがオフ状態の時間が予め設定した基準時間を経過した時点でコンタクト規制部材がロック側に移動してコンタクトアームのオン操作が規制される構成となっている。
【００２３】
第７の発明によれば、トリガのオン操作とコンタクトアームのオン操作の双方がそれぞれトリガスイッチとコンタクトスイッチにより検知されて基準時間が計測される。第７に発明においても、基準時間経過によりコンタクトアームのオン操作が規制されることにより、例えばトリガをオン操作したまま当該打ち込み工具を持ち運ぶ場合に、基準時間経過後であればコンタクトアームを誤って他部位に干渉等させた場合であっても工具本体部における不用意な打ち込み動作を確実に防止することができる。第７の発明に係るタイマー機構は、先にトリガをオン操作した場合に作動する構成であり、先にコンタクトアームをオン操作した場合には作動しない。このため、トリガスイッチやコンタクトスイッチの作動に必要な電力の供給がなされない環境下であってタイマー機構が作動し得ない状況下においても、先にコンタクトアームをオン操作して行う形態の打ち込み動作を行うことができ、これにより打ち込み作業を続行することができる。
【００２４】
第８の発明は、第１〜第７の何れか一つの発明において、コンタクトアームのオン操作状態では、タイマー機構とは無関係にトリガのオン操作により打ち込み動作がなされる構成とした打ち込み工具である。
【００２５】
第８の発明によれば、電力供給がなされない環境下であっても、コンタクトアームを打ち込み材に押し付けた後にトリガをオン操作して行う、いわゆる狙い撃ち（単発打ち）を行うことができ、当該打ち込み工具の高い作業性を確保することができる。
【図面の簡単な説明】
【００２６】
【図１】本発明の実施形態に係る打ち込み工具の全体側面図である。
【図２】打ち込み工具の工具本体部及び第１実施形態に係る起動装置の縦断面図である。
【図３】第１実施形態に係る起動装置の斜視図である。
【図４】第１実施形態に係る起動装置の斜視図である。本図は、起動ベース及び起動バルブが省略されている点で図３とは異なっている。
【図５】第１実施形態に係る起動装置の一部構成の斜視図である。本図は、トリガ及びアイドラが省略されている点で図４とは異なっている。
【図６】第１実施形態に係る起動装置の平面図である。
【図７】図６の(VII)-(VII)線断面矢視図であって、第１実施形態に係る起動装置の縦断面図である。本図は、初期状態を示している。本図では、タイマースイッチとスイッチ作動部材が示されている。
【図８】図６の(VIII)-(VIII)線断面矢視図であって、第１実施形態に係る起動装置の縦断面図である。本図は、初期状態を示している。本図では、アクチュエータとコンタクト規制部材が示されている。
【図９】第１実施形態に係る起動装置の縦断面図である。本図は、図７と同じく初期状態を示している。図７とは、起動ベースが省略され、コンタクトアームの延長部が追記された点で異なっている。
【図１０】第１実施形態に係る起動装置の縦断面図である。本図は、図８と同じく初期状態を示している。図８とは、起動ベースが省略され、ソレノイドバルブが縦断面で示されている点で異なっている。
【図１１】第１実施形態に係る起動装置の縦断面図である。本図は、図９に示す初期状態からトリガを先にオン操作した状態を示している。
【図１２】第１実施形態に係る起動装置の縦断面図である。本図は、図１０に示す初期状態からトリガを先にオン操作した状態を示している。
【図１３】第１実施形態に係る起動装置の縦断面図である。本図は、トリガのオン操作後基準時間経過前にコンタクトアームがオン操作されて起動バルブがオンした状態を示している。
【図１４】第１実施形態に係る起動装置の縦断面図である。本図は、トリガのオン操作後基準時間経過前にコンタクトアームがオン操作されて起動バルブがオンした状態を示している。
【図１５】第１実施形態に係る起動装置の縦断面図である。本図は、トリガのオン操作後基準時間が経過してコンタクトアームのオン操作がロックされた状態を示している。
【図１６】第１実施形態に係る起動装置の縦断面図である。本図は、図９に示す初期状態から先にコンタクトアームをオン操作した状態を示している。
【図１７】第１実施形態に係る起動装置の縦断面図である。本図は、図１０に示す初期状態から先にコンタクトアームをオン操作した状態を示している。
【図１８】第１実施形態に係る起動装置の縦断面図である。本図は、図１６に示す状態からトリガをさらにオン操作して起動バルブをオンさせた状態を示している。
【図１９】第１実施形態に係る起動装置の縦断面図である。本図は、図１７に示す状態からトリガをさらにオン操作して起動バルブをオンさせた状態を示している。
【図２０】第２実施形態に係る起動装置の縦断面図である。本図は、初期状態を示している。本図では制御手段としてのコントローラが併せて示されている。
【図２１】第２実施形態に係る起動装置の縦断面図である。本図は、図２０に示す初期状態からトリガを先にオン操作した状態を示している。
【図２２】第２実施形態に係る起動装置の縦断面図である。本図は、トリガのオン操作後基準時間が経過する前に、さらにコンタクトアームをオン操作して起動バルブをオンさせた状態を示している。
【図２３】第２実施形態に係る起動装置の縦断面図である。本図は、トリガのオン操作後基準時間が経過してコンタクトアームのオン操作がロックされた状態を示している。
【図２４】第２実施形態に係る起動装置の縦断面図である。本図は、図２０に示す初期状態からコンタクトアームを先にオン操作した状態を示している。
【図２５】第２実施形態に係る起動装置の縦断面図である。本図は、図２４に示す状態からさらにトリガをオン操作して起動バルブをオンさせた状態を示している。
【図２６】第２実施形態に係る起動装置の縦断面図である。本図は、図２５に示す状態からコンタクトアームをオフ位置に戻した状態を示している。
【図２７】第２実施形態に係る起動装置の縦断面図である。本図は、図２５に示すようにトリガのオン操作を維持しつつコンタクトアームをオフ位置に戻した後、基準時間が経過したことによりコンタクトアームのオン操作が規制された状態を示している。
【発明を実施するための形態】
【００２７】
次に、本発明の実施形態を図１〜図２７に基づいて説明する。図１及び図２に示すように本実施形態では、打ち込み工具１の一例として圧縮エア駆動式の釘打ち機を例示する。この打ち込み工具１は、圧縮エアを動力源としてシリンダ１５内を上下に往復動するピストン１３を内装した工具本体部２と、工具本体部２の側部から側方へ突き出す状態に設けられたグリップ部３と、工具本体部２の下部から下方（打ち込み具の打ち込み方向）に延びる打ち込みノーズ部４と、打ち込みノーズ部４とグリップ部３との間に跨って装備されて多数本の打ち込み具を装填可能なマガジン５を備えている。
【００２８】
打ち込みノーズ部４の先端にコンタクトアーム６が上下に相対変位可能に支持されている。コンタクトアーム６を打ち込み材Ｗに押し付けて相対的に上動させることが打ち込み動作を行うための一つの条件となっている。コンタクトアーム６は、打ち込みノーズ部４の先端付近からトリガ１２付近に至る範囲に延びている。コンタクトアーム６の下部には、打ち込みノーズ部４の先端であって射出口周辺に位置する円環形状の当接部６ａが設けられている。コンタクトアーム６の上部には、トリガ１２に向けて延びる帯板形状の延長部６ｂが設けられている。当接部６ａと延長部６ｂを一体に有するコンタクトアーム６が打ち込みノーズ部４に沿って上下に一定の範囲で変位可能に支持されている。
【００２９】
グリップ部３の基部付近であって工具本体部２の側部に、本実施形態に係る起動装置１０が配置されている。起動装置１０の起動操作により起動バルブ１１がオンする。起動バルブ１１がオンすると、工具本体部２のピストン上室１６に圧縮エアが供給される。ピストン上室１６に圧縮エアが供給されると、ピストン１３がシリンダ１５内を下動して打ち込み動作がなされる。ピストン１３の下面には長尺棒状の打撃ドライバ１４が取り付けられている。この打撃ドライバ１４がピストン１３の下動に伴って打ち込みノーズ部４内を下動することにより、１本の打ち込み具が打ち込みノーズ部４の先端（射出口）から打ち出される。打ち込みノーズ部４内には、マガジン５から打ち込み具が１本ずつ供給される。
【００３０】
図１に示すように起動装置１０の側部には、トリガロックレバー７が設けられている。このトリガロックレバー７を図１に示すように下側に回動操作した状態では、トリガ１２を上方へ引き操作可能となる。トリガロックレバー７を上側へ回動操作した状態では、トリガ１２の上方への引き操作ができないトリガロック状態となる。トリガロックレバー７を上側のロック位置に切り替えておくことにより、当該打ち込み工具１の不用意な打ち込み動作を未然に防ぐことができる。
【００３１】
本実施形態は、起動装置１０について従来にない特徴を備えている。打ち込み工具１の基本的構成については本実施形態において特に変更を要しないので詳細な説明は省略する。起動装置１０は、トリガ１２のオン操作とコンタクトアーム６のオン操作の双方がなされたことを条件に起動バルブ１１をオンさせる機能を有している。本実施形態の起動装置１０は、上記した起動バルブ１１と、トリガ１２と、タイマー機構２０を備えている。図２に示すように起動バルブ１１はグリップ部３の基部側下面に収容されている。バルブステム１１ａの下部がトリガ１２に向けて突き出されている。起動バルブ１１のバルブステム１１ａは上下（オン位置とオフ位置）に移動可能に支持されている。バルブステム１１ａは、圧縮ばね１１ｂにより下方のオフ位置側へ移動する方向に付勢されている。図２はバルブステム１１ａがオフ位置に位置する状態を示している。バルブステム１１ａがこのオフ位置からばね付勢力に抗して上動することにより起動バルブ１１がオンする。
【００３２】
起動バルブ１１がオンすると、ヘッドバルブ２ｅが下向きに作用するエア圧により下方へ変位して開かれる。ヘッドバルブ２ｅが開かれるとグリップ部３内の蓄圧室３ａに蓄圧された圧縮エアがピストン上室１６に供給される。バルブステム１１ａがばね付勢力で下方へ戻されると、起動バルブ１１がオフする。起動バルブ１１がオフすると、ヘッドバルブ２ｅが上向きに作用するエア圧及びばね力により上方へ変位し、これによりピストン上室１６が蓄圧室３ａに対して閉じられる。ピストン上室１６は閉じられると同時に大気開放され、これより下動したピストン１３が上死点（初期位置）に戻される。
【００３３】
トリガ１２とタイマー機構２０の詳細が図３〜図８に示されている。トリガ１２とタイマー機構２０は、工具本体部２の後面側に一体に設けられた起動ベース１７に支持されている。トリガ１２は、支軸１８を介して上下に回動操作可能に支持されている。トリガ１２は、グリップ部３を把持した手の指先で上方（オン位置）へ引き操作される。トリガ１２は、捩じりばね１２ａにより下方のオフ位置側へ回動する方向に付勢されている。トリガ１２の背面側（上面側）には、アイドラ１９が支軸１９ａを介して上下に回動可能に支持されている。アイドラ１９は、捩じりばね１９ｂにより回動先端側（前側）を上方へ変位させる方向に付勢されている。捩じりばね１９ｂの付勢力により、アイドラ１９は常時起動バルブ１１のバルブステム１１ａの先端に押し付けられた状態となっている。
【００３４】
トリガ１２の下側にタイマー機構２０が設けられている。タイマー機構２０の後方に沿ってコンタクトアーム６の延長部６ｂが上下に変位可能に配置されている。タイマー機構２０は、コンタクト規制部材２１と、スイッチ作動部材２２と、タイマースイッチ２３と、アクチュエータ２４を備えている。コンタクト規制部材２１とスイッチ作動部材２２は、支軸２５を介して同軸かつ相互に独立して前後に回動可能に支持されている。コンタクト規制部材２１は、支軸２５に支持された円筒形の支持筒部２１ａに、作動部２１ｂとロック受け部２１ｃとストッパ部２１ｄを一体に備えた構成を有している。作動部２１ｂは支持筒部２１ａの右端部から概ね上方へ突き出して設けられている。ロック受け部２１ｃは、支持筒部２１ａの左端部から作動部２１ｂに対して支軸２５の軸回りに約９０°の間隔をおいて概ね下方へ突き出す状態に設けられている。ストッパ部２１ｄは、支持筒部２１ａの左端部からロック受け部２１ｃに対して支軸２５の軸回りに約９０°の間隔をおいて概ね斜め後方に延びている。支持筒部２１ａの軸線回りの位置について、作動部２１ｂとロック受け部２１ｃとストッパ部２１ｄの相互の位置関係は固定されており、一体で支軸２５の軸回りに変位する。
【００３５】
コンタクト規制部材２１は、捩じりばね２６により、図８において反時計回り方向（コンタクトロック側）に付勢されている。トリガ１２の下面には、ストッパ受け部１２ｂが設けられている。ストッパ受け部１２ｂは、コンタクト規制部材２１のストッパ部２１ｄの上方に位置している。図８に示すようにトリガ１２が下側のオフ位置に位置する状態では、ストッパ部２１ｄがストッパ受け部１２ｂで下方へ押されてコンタクト規制部材２１が捩じりばね２６に抗して時計回り方向に回動した初期位置に保持される。コンタクト規制部材２１が初期位置に位置する状態では、ロック受け部２１ｃがコンタクトアーム６の延長部６ｂに対して前側（図８において上側）へ変位した状態となる。
【００３６】
コンタクトアーム６の延長部６ｂには、ロック受け部６ｃと解除案内部６ｄが設けられている。ロック受け部６ｃは延長部６ｂの左側部に設けられている。後で説明する図１５に示すようにコンタクト規制部材２１のロック側への回動によりロック受け部２１ｃの回動先端部がロック受け部６ｃの上方に進入した状態では、コンタクトアーム６のオン位置側への変位が当該ロック受け部２１ｃによって規制された状態（コンタクトアームロック状態）となる。図１６に示すように解除案内部６ｄは、延長部６ｂの右側部に沿って設けられている。解除案内部６ｄは、上部側ほど後側へ変位する方向に傾斜した傾斜面で、以下説明するスイッチ作動部材２２の補助アーム部２２ｃが摺接されて当該スイッチ作動部材２２をスイッチ規制位置側へ戻す機能を有している。
【００３７】
コンタクト規制部材２１の右側に支持されたスイッチ作動部材２２は、支軸２５に支持された円筒形の支持筒部２２ａに、作動アーム部２２ｂと補助アーム部２２ｃを一体に備えた構成を有している。作動アーム部２２ｂと補助アーム部２２ｃは、支持筒部２２ａから下方へ向けて相互に平行に延びている。図６に示すように作動アーム部２２ｂは、支持筒部２２ａの右端部側に設けられている。補助アーム部２２ｃは、作動アーム部２２ｂよりも左側にずれて設けられている。作動アーム部２２ｂの上部にはストッパ部２２ｄが一体に設けられている。図７に示すようにトリガ１２がオフ位置に位置する状態では、トリガ１２の前面に設けたストッパ受け部１２ｂでストッパ部２２ｄが下方へ押されるため、スイッチ作動部材２２が図７に示すスイッチ規制位置に保持される。トリガ１２を上方へ引き操作すると、ストッパ受け部１２ｂが上方へ変位するため、スイッチ作動部材２２が図７において反時計回り方向への回動動作が許容される状態となる。後で説明する図１１に示すようにスイッチ作動部材２２が反時計回り方向に回動可能となることによりタイマースイッチ２３がオンする。
【００３８】
図３〜図８に示すようにコンタクト規制部材２１の下側に１つのアクチュエータ２４が配置されている。また、スイッチ作動部材２２の下側に１つのタイマースイッチ２３が配置されている。本実施形態では、アクチュエータ２４には、電磁アクチュエータが用いられており、通電により作動軸２４ａを軸方向に変位させる構成のものが用いられている。アクチュエータ２４に通電されると、作動軸２４ａは上方に変位する。作動軸２４ａは、コンタクト規制部材２１の作動部２１ｂに向けられている。このため、通電によりアクチュエータ２４の作動軸２４ａが上方へ変位すると、当該作動軸２４ａにより作動部２１ｂの下方への変位が規制され、これによりコンタクト規制部材２１のロック側への回動動作が規制された状態（コンタクトアーム６のオン操作が許容される状態）となる。作動軸２４ａが突き当てられて作動部２１ｂの下方への変位が規制された状態が後で説明する図１２に示されている。
【００３９】
本実施形態では、タイマースイッチ２３には作動レバー２３ａを有する常時開形のマイクロスイッチが用いられている。タイマースイッチ２３は、作動レバー２３ａを上方へ傾動操作するとオフし、作動レバー２３ａを下方へ戻すとオンする。上記したようにトリガ１２を引き操作しない状態では、スイッチ作動部材２２のストッパ部２２ｄが下方へ押されてスイッチ作動部材２２がスイッチ規制位置に保持された状態となる。このスイッチ規制位置では、作動アーム部２２ｂが前側へ傾動してタイマースイッチ２３の作動レバー２３ａを前側へ押す結果、当該タイマースイッチ２３がオフ状態に保持される。図７は、タイマースイッチ２３のオフ状態を示している。
【００４０】
制御回路を含むコントローラ２７では、タイマースイッチ２３のオン、オフ状態が検知される。トリガ１２のオン操作によりタイマースイッチ２３がオンされるとその経過時間が計測される。また、タイマースイッチ２３がオンされると、アクチュエータ２４に通電されてその作動軸２４ａが上方へ変位することにより、コンタクト規制部材２１のロック側への回動動作が規制された状態となる。コントローラで計測されるタイマースイッチ２３のオン状態の経過時間が、予め当該コントローラにおいて設定した基準時間ｔを経過すると、アクチュエータ２４への通電が遮断される。アクチュエータ２４の通電が遮断されると、作動軸２４ａが下方へ変位して、コンタクト規制部材２１が捩じりばね２６の付勢力によってロック側へ回動する。コンタクト規制部材２１がロック側へ回動すると、そのロック受け部２１ｃが後方へ変位してコンタクトアーム６のオン操作が禁止された状態となる。
【００４１】
トリガ１２及びコンタクトアーム６がそれぞれオン操作されると、アイドラ１９によりバルブステム１１ａが上方へ押されて起動バルブ１１がオンする。前記したように起動バルブ１１がオンすることによりピストン上室１６に圧縮エアが供給されて打ち込み動作がなされる。例えば、先にトリガ１２をオン操作し、その後コンタクトアーム６をオン操作して行う打ち込み作業形態（いわゆる振り打ち）では、トリガ１２のオン操作後、上記タイマー機構２０により設定された基準時間ｔの経過後にコンタクトアーム６のオン操作が禁止される。コンタクトアーム６のオン操作禁止状態は、トリガ１２のオン操作を解除することによりリセットされる。また、例えば先にコンタクトアーム６をオン操作し、その後トリガ１２をオン操作して行う打ち込み作業形態（いわゆる狙い打ち）では、上記タイマー機構２０による時間的制約は発生しない。以下、各作業形態についてタイマー機構２０の動作状態を説明する。
【００４２】
先ず、図９及び図１０に示す初期位置から、図１１及び図１２に示すようにトリガ１２を上方へ引き操作するとタイマー機構２０が作動する。図１１に示すようにトリガ１２を上方へ引き操作するとストッパ受け部１２ｂが上方へ変位する結果、スイッチ作動部材２２が図示反時計回り方向に回動可能な状態となる。スイッチ作動部材２２が図示反時計回り方向に回動可能となることにより、その作動アーム部２２ｂが下方へ変位可能となる。作動アーム部２２には、タイマースイッチ２３の作動レバー２３ａが上方から当接されている。作動レバー２３ａは、オン側（下方へ回動する方向）にばね付勢されている。このため、トリガ１２がオン操作されてスイッチ作動部材２２が図示反時計回り方向に回動可能な状態になると、タイマースイッチ２３の作動レバー２３ａが後方へ傾動して当該タイマースイッチ２３がオンする。
【００４３】
タイマースイッチ２３がオンすると、図１２に示すようにアクチュエータ２４に通電されて、その作動軸２４ａが上方へ変位する。また、タイマースイッチ２３がオンされれると、コントローラ２７では当該タイマースイッチ２３のオン時間（トリガ１２のオン操作状態）の計測が開示される。コントローラ２７で計測されるタイマースイッチ２３のオン時間が予め設定した基準時間ｔを経過する前に、図１３及び図１４に示すようにコンタクトアーム６がオン操作されると、アイドラ１９が上方へさらに押されて起動バルブ１１がオンし、従って工具本体部２で打ち込み動作がなされる。
【００４４】
図１３に示すように基準時間ｔ内にコンタクトアーム６がオン操作されると、補助アーム部２２ｃがコンタクトアーム６の解除案内部６ｄで上方へ押し上げられる。補助アーム部２２ｃが上方へ押し上げられると、作動アーム部２２ｂが一体で上方へ変位する結果、作動レバー２３ａが上方へ押し上げられてタイマースイッチ２３がオフする。この段階でタイマースイッチ２３がオフされることにより、トリガ１２のオン操作状態の経過時間の計測が停止されて、タイマー機能がキャンセルされる。
【００４５】
また、基準時間ｔ内にコンタクトアーム６がオン操作されてタイマースイッチ２３がオフされると、アクチュエータ２４への通電が遮断される。この段階でアクチュエータ２４への通電が遮断されると、図１４に示すようにその作動軸２４ａが下方の初期位置に戻される。アクチュエータ２４の作動軸２４ａが初期位置に戻されると、当該作動軸２４ａによってはコンタクト規制部材２１の図示反時計回り方向（ロック側）への回転動作が規制された状態ではなくなる。しかしながら、この段階では、コンタクトアーム６の延長部６ｂの上面にロック受け部２１ｃが当接して、当該コンタクト規制部材２１の図示反時計回り方向（ロック側）へ回転動作が規制された状態となっている。
【００４６】
これに対して、図１１及び図１２に示すようにトリガ１２を上方へ引き操作した後、基準時間ｔが経過するまでにコンタクトアーム６のオン操作がなされないと、タイマースイッチ２３のオン状態に関わらず、基準時間ｔを経過した時点でアクチュエータ２４への通電が遮断される。図１５に示すようにアクチュエータ２４への通電が遮断されると、作動軸２４ａが下方の初期位置に戻されるため、コンタクト規制部材２１が捩じりばね２６の付勢力により図示反時計回り方向（ロック側）へ回動する。コンタクト規制部材２１がロック側へ回動すると、ロック受け部２１ｃが後方へ変位してロック受け部６ｃの移動経路の上方に進入した状態となる。ロック受け部６ｃの上方にロック受け部２１ｃが位置することにより、コンタクトアーム６のオン操作が禁止された状態となる。コンタクトアーム６のオン操作の禁止状態は、トリガ１２をオフさせて、そのストッパ受け部１２でストッパ部２１ｄを下方へ押してコンタクト規制部材２１をアンロック位置に戻すことにより、リセットされる（起動装置１０の初期状態）。
【００４７】
このように、トリガ１２を先にオン操作した場合、基準時間ｔを経過する前であればコンタクトアーム６をオン操作して打ち込み動作がなされる一方、基準時間ｔの経過後ではその後のコンタクトアーム６のオン操作が禁止される。これにより、トリガ１２を引き操作したまま当該打ち込み工具１を持ち運ぶ際における不用意な打ち込み動作が防止される。
【００４８】
上記したように先にトリガ１２をオン操作する操作順では、タイマー機構２０が作動して工具本体部２の不用意な打ち込み動作が禁止される。本実施形態に係る打ち込み工具１は、先にコンタクトアーム６をオン操作しても打ち込み動作がなされる。トリガ１２よりも先にコンタクトアーム６をオン操作する操作順では、タイマー機構２０は作動しない。係る操作順では、先にコンタクトアーム６がオン操作され、その後使用者による明確な意図をもってトリガ１２がオン操作されるため、工具本体部２において不用意な打ち込み動作がなされることを想定する必要性は低い。
【００４９】
図９及び図１０に示す初期位置から、図１６及び図１７に示すように先にコンタクトアーム６がオン操作される。トリガ１２をオン操作しない初期状態では、図１７に示すようにストッパ受け部１２ｂでストッパ部２１ｄが下方へ押されてコンタクト規制部材２１が初期位置に保持された状態であるので、コンタクトアーム６をオン操作することができる。また、この段階では、トリガ１２がオン操作されていないため、図１６に示すようにそのストッパ受け部１２ｂでストッパ部２２ｄが下方へ押されてスイッチ作動部材２２が初期位置に保持される。スイッチ作動部材２２が初期位置に保持される結果、作動レバー２３ａが上方に押し上げられてタイマースイッチ２３がオフ状態に保持される。タイマースイッチ２３がオンしないので、コンタクトアーム６のオフ時間の計測は開始されない。
【００５０】
コンタクトアーム６がオン操作された後、図１８及び図１９に示すようにトリガ１２をオン操作するとバルブステム１１ａが上方へ押されて起動バルブ１１がオンする。起動バルブ１１がオンすることにより、工具本体部２において打ち込み動作がなされる。１回の打ち込み動作がなされた後には、トリガ１２をオフ位置に戻し、かつコンタクトアーム６をオフ位置に戻すことにより起動装置１０ひいては当該打ち込み工具１が初期状態に戻される。
【００５１】
１回の打ち込み動作がなされた後に、トリガ１２をオン操作したままコンタクトアーム６のオン操作のみを解除すると、図１１及び図１２に示す状態と同じ状態となるため、タイマー機構２０が作動する。トリガ１２がオン操作状態で、コンタクトアーム６のみがオフ操作されると、スイッチ作動部材２２の補助アーム部２２ｃがコンタクトアーム６の上面から外れて当該スイッチ作動部材２２がオン側に回動する。スイッチ作動部材２２がオン側に回動することによりタイマースイッチ２３がオンする。こうして、タイマー機構２０が作動することにより、コンタクトアーム６のオフ状態経過時間の計測が開始される。
【００５２】
また、タイマースイッチ２３がオンすることによりアクチュエータ２４に対して通電が再開される。アクチュエータ２４への通電が再開されると、その作動軸２４ａが上方へ変位して作動部２１ｂに突き当てられるため、コンタクトロック部材２１のロック側への移動が規制された状態となる。コンタクトロック部材２１のロック側への移動が規制されることにより、コンタクトアーム６をオン操作可能な状態に維持される。このため、その後基準時間ｔを経過する前に再びコンタクトアーム６をオン操作することにより打ち込み動作を行うことができる。基準時間ｔが経過した後には、図１５に示すようにコンタクトアーム６のオン操作が禁止された状態となって不用意な打ち込み動作が防止される。
【００５３】
前記したようにタイマー機構２０による打ち込み動作禁止状態（コンタクトアーム６のオン操作禁止状態）は、トリガ１２のオン操作を一旦解除することによりリセットすることができる。トリガ１２をオフ位置に戻すと、そのストッパ受け部１２ｂでスイッチ作動部材２２のストッパ部２２ｄが下方へ押されて作動アーム部２２ｂが押し上げられることによりタイマースイッチ２３がオフされて当該起動装置１０が図９に示す初期状態にリセットされる。
【００５４】
以上のように構成した第１実施形態に係る起動装置１０によれば、トリガ１２がオン操作され、コンタクトアーム６がオン操作されていない状態ではタイマー機構２０が作動する。このため、例えばトリガ１２をオン操作したまま当該打ち込み工具１を持ち運ぶ際に、基準時間ｔの経過後であれば誤ってコンタクトアーム６を他部位に干渉させる等した場合であっても工具本体部２における不用意な打ち込み動作を防止することができる。
【００５５】
また、例示したタイマー装置２０では、圧縮エアを動力源として作動するエア機器ではなく、電力により作動する電磁アクチュエータを用いる構成であることから、各部の動作の機敏性（応答性）を確保して、当該打ち込み工具１の作業性（速射性）を高めることができる。さらに、図１６〜図１９に示すように先にコンタクトアーム６をオン操作する操作順であれば、アクチュエータ２４への電力供給を要することなく打ち込み動作がなされる構成であるので、電力供給のない環境下においても当該打ち込み工具１を利用することができ、急な停電時においても打ち込み作業をそのまま続行することができる。
【００５６】
以上説明した実施形態には種々変更を加えることができる。例えば図２０以降には、第２実施形態のタイマー機構３０を備えた起動装置１０が示されている。第２実施形態のタイマー機構３０では、第１実施形態におけるスイッチ作動部材２２が省略されている。このため、コンタクトアーム６の解除案内部６ｄも省略されている。一方、第２実施形態では、コンタクトアーム６のオン操作を直接検知するコンタクトスイッチ３２を備えている。その他変更を要しない部材及び構成については同位の符号を用いてその説明を省略する。
【００５７】
図２０に示すように第２実施形態に係るタイマー機構３０は、トリガ１２のオン操作を直接検知するトリガスイッチ３１と、コンタクトアーム６のオン操作を直接検知するコンタクトスイッチ３２と、コンタクトアーム６のオン操作を規制するコンタクト規制部材３３と、コンタクト規制部材３３の規制側への移動を規制するアクチュエータ３４と、トリガスイッチ３１とコンタクトスイッチ３２の検知情報に基づいてアクチュエータ３４に電力を供給するコントローラ３５を備えている。
【００５８】
第２実施形態は、トリガ１２とコンタクトアーム６のオン操作がそれぞれトリガスイッチ３１とコンタクトスイッチ３２で個別に検知される点で第１実施形態とは異なっている。トリガ１２の前部にはスイッチ作動部１２ｃが設けられている。スイッチ作動部１２ｃに対して、トリガスイッチ３１の作動レバー３１ａが当接されている。このため、トリガ１２をオン操作すると、スイッチ作動部１２ｃが下方へ変位して、トリガスイッチ３１がオンする。トリガ１２がオフ位置に戻されると作動レバー３１ａが上方へ押されてトリガスイッチ３１がオフする。トリガスイッチ３１には常時閉タイプのマイクロスイッチが用いられている。
【００５９】
コンタクトスイッチ３２は延長部６ｂの下方に配置されている。延長部６ｂの下部にコンタクトスイッチ３２の作動レバー３２ａが当接されている。コンタクトアーム６がオフ位置に位置する状態では、作動レバー３２ａが延長部６ｂの下部により下方へ押されるためコンタクトスイッチ３２はオフ状態となる。コンタクトアーム６を上方へ相対移動させてオン操作すると、延長部６ｂが一体で上方へ変位するため作動レバー３２ａが上方へ変位してコンタクトスイッチ３２がオンする。コンタクトスイッチ３２にも常時閉タイプのマイクロスイッチが用いられている。
【００６０】
トリガスイッチ３１とコンタクトスイッチ３２のオン、オフ状態はコントローラ３５で検知される。コントローラ３５では、トリガスイッチ３１がオン状態でコンタクトスイッチ３２がオフ状態である時間（監視時間）が計測される。コントローラ３５では、係る監視時間が予め設定された基準時間ｔを経過した時点でアクチュエータ３４に電力供給がなされる制御が行われる。アクチュエータ３４に電力が供給されると、下記に説明するようにコンタクトアーム６のオン操作が禁止された状態（打ち込み動作禁止状態）となる。基準時間ｔが経過する前に、コンタクトアーム６がオン操作されてコンタクトスイッチ３２がオンすると、監視時間の計測が停止されて当該タイマー機構３０がリセットされる。
【００６１】
コンタクト規制部材３３は、円筒形の支持筒部３３ａに、作動部３３ｂと、ロックアーム部３３ｃと、ストッパ部３３ｄを一体に備えるもので、第１実施形態と同じく支軸３６回りに回転可能に支持されている。コンタクト規制部材３３は捩じりばね３７により、ロックアーム部３３ｃを後方へ変位させる方向に付勢されている。図２０に示すようにトリガ１２をオン操作していない初期状態では、上部に設けたストッパ部３３ｄがトリガ１２のストッパ受け部１２ｂで下方へ押されることにより、当該コンタクト規制部材３３がそのロックアーム部３３ｃをコンタクトアーム６の前側へ退避させたアンロック位置に保持されている。コンタクト規制部材３３のアンロック位置への保持は捩じりばね３７に抗してなされる。
【００６２】
アクチュエータ３４に通電されていない状態では、作動軸３４ａが下方へ戻されている。アクチュエータ３４に通電されると作動軸３４ａが上動して、その上端部がコンタクト規制部材３３の作動部３３ｂに突き当てられる。作動部３３ｂにアクチュエータ３４の作動軸３４ａが突き当てられた状態では、コンタクト規制部材３３がアンロック位置にロックされた状態となる。アクチュエータ３４への通電が遮断されて作動軸３４ａが下方の初期位置に戻されると、コンタクト規制部材３３が捩じりばね３７の付勢力によりロック位置に回動可能となる。コンタクト規制部材３３がロック位置に回動すると、ロックアーム部３３ｃがコンタクトアーム６のロック受け部６ｃの上方に進入した状態となる。ロックアーム部３３ｃがロック受け部６ｃの移動経路の上方に進入した状態では、コンタクトアーム６のオン操作が禁止された状態となる。コンタクトアーム６のオン操作禁止状態は、トリガ１２を一旦オフ操作してトリガスイッチ３１をオフさせて当該起動装置１０の初期状態に戻すことによりキャンセルされる。
【００６３】
第２実施形態に係るタイマー機構３０を備える起動装置１０の動作状態は前記例示した第１実施形態に係るタイマー機構２０を備える起動装置１０と概ね同様であり、以下簡単に説明する。図２０には第２実施形態に係るタイマー機構３０を備えた起動装置１０の初期状態が示されている。図２１以降では、コントローラ３５の図示が省略されている。また、起動ベース１７も省略され、コンタクトアーム６は延長部６ｂのみが示されている。
【００６４】
図２０に示す初期状態から図２１に示すように先にトリガ１２をオン操作すると、そのスイッチ作動部１２ｃが下方（トリガスイッチ３１から離れる方向）へ変位する結果、作動レバー３１ａが下方へ傾動してトリガスイッチ３１がオンする。トリガスイッチ３１がオンするとコントローラ３５において監視時間の計測が開始される。また、トリガ１２がオン操作されてトリガスイッチ３１がオンすると、コントローラ３５からアクチュエータ３４に電力が供給されて、その作動軸３４ａが上方へ変位することによりコンタクト規制部材３３がアンロック位置に保持された状態となる。
【００６５】
トリガ１２のオン操作後、基準時間ｔが経過する前であれば、コンタクト規制部材３３がアンロック位置に保持されているので、コンタクトアーム６をオン操作することができる。図２２に示すようにトリガ１２のオン操作後、基準時間ｔが経過する前にコンタクトアーム６をオン操作すると、延長部６ｂでアイドラ１９が上方へ押されて起動バルブ１１がオンする。起動バルブ１１がオンすることにより工具本体部２において打ち込み動作がなされる。
【００６６】
また、コンタクトアーム６のオン操作により延長部６ｂが一体で上方へ変位する結果、コンタクトスイッチ３２の作動レバー３２ａが上方へ戻されて当該コンタクトスイッチ３２がオンする。コンタクトスイッチ３２がオンすることによりコントローラ３５において監視時間の計測が停止されるとともに、アクチュエータ３４への電力供給が遮断されてタイマー機構３０がリセットされる。なお、この段階でアクチュエータ３４への電力供給が遮断されて作動軸３４ａが下方へ戻されても、コンタクトアーム６のロック受け部６ｃがロックアーム部３３ｃの後方を既に通過しているため、ロックアーム部３３ｃは延長部６ｂの前面に当接されて、コンタクト規制部材３３はコンタクトアーム６の移動を規制するロック位置へは変位しない。
【００６７】
図２３に示すようにトリガ１２のオン操作後、基準時間ｔが経過する前にコンタクトアーム６がオン操作されないと、基準時間ｔが経過した時点でコントローラ３５からアクチュエータ３４への電力供給が遮断される。アクチュエータ３４への電力供給が遮断されると、その作動軸３４ａが下方へ戻される結果、コンタクト規制部材３３が図において反時計回り方向に回動してロック位置に移動する。コンタクト規制部材３３がロック位置に移動すると、ロックアーム部３３ｃがロック受け部６ｃの上側へ進入するため、コンタクトアーム６のオン操作が禁止された状態となる。これにより、トリガ１２をオン操作したまま当該打ち込み工具１を持ち運ぶ際における不用意な打ち込み動作が防止される。
【００６８】
コンタクトアーム６のオン操作禁止状態は、トリガ１２のオン操作を解除することによりリセットされる。トリガ１２をオン操作を解除すると、ストッパ受け部１２ｂでストッパ部３３ｄが下方へ押されることにより、コンタクト規制部材３３がアンロック位置に戻されて、コンタクトアーム６をオン操作可能な状態となる。また、トリガ１２がオフ操作されることによりトリガスイッチ３１の作動レバー３１ａが上方が押されて当該トリガスイッチ３１がオフし、以上で当該起動装置１０が図２０に示す初期状態に戻される。
【００６９】
起動装置１０の初期状態では、トリガ１２のストッパ受け部１２ｂによりコンタクト規制部材３３がアンロック位置に保持されているため、コンタクトアーム６を先に操作することができる。図２４に示すようにトリガ１２のオフ状態でコンタクトアーム６を打ち込み材Ｗに押し付けて先にオン操作すると、コンタクトスイッチ３２はオンするが、トリガスイッチ３１がオンしないので、コントローラ３５において監視時間の計測は開始されない。図２５に示すようにコンタクトアーム６のオン操作によりアイドラ１９が上方へ押された状態で、さらにトリガ１２をオン操作すると、アイドラ１９でステム１１ａが上方へ押されて起動バルブ１１がオンし、従って工具本体部２において打ち込み動作がなされる。図２２と図２５は起動装置１０の同じ状態を示している。図２２は、先にトリガ１２をオン操作し、その後コンタクトアーム６をオン操作した場合、図２５は、先にコンタクトアーム６をオン操作し、その後トリガ１２をオン操作した場合を示している。先にトリガ１２をオン操作した場合にのみ、コントローラ３５においてタイマー機構３０が作動してトリガスイッチ３１のみがオンで、コンタクトスイッチ３２がオフ状態の経過時間が計測される。
【００７０】
打ち込み動作完了後、図２６に示すようにコンタクトアーム６を先にオフ操作すると、図２１に示す状態と同じくトリガスイッチ３１がオンで、コンタクトスイッチ３２がオフ状態となる。この状態では、コントローラ３５からアクチュエータ３４に電力供給されてその作動軸３４ａが上方へ突き出されることによりコンタクト規制部材３３がアンロック位置に保持される。コンタクト規制部材３３がアンロック位置に保持されることにより、コンタクトアーム６をオン操作可能な状態に維持される。
【００７１】
また、コンタクトアーム６をオフ操作してトリガスイッチ３１がオンで、コンタクトスイッチ３２がオフ状態となると、コントローラ３５において当該状態の経過時間の計測が開始される。当該経過時間が基準時間ｔを経過する前に、コンタクトアーム６が再びオン操作されると、起動バルブ１１がオンして打ち込み動作がなされる。また、コンタクトアーム６が再びオン操作されることにより、コンタクトスイッチ３２がオンしてコントローラ３５における時間計測はリセットされる。
【００７２】
基準時間ｔを経過する前にコンタクトアーム６のオン操作がなされないと、当該基準時間ｔが経過した時点で、図２７に示すようにアクチュエータ３４に対する電力供給が遮断される結果コンタクト規制部材３３がロック側に移動して、コンタクトアーム６のオン操作が禁止された状態となる。図２７は図２３と同じくコンタクトアーム６のオン操作禁止状態を示している。前記したように係るコンタクトアーム６のオン操作禁止状態は、トリガ１２をオフ操作してコンタクト規制部材３３を捩じりばね３７に抗してアンロック側に戻し、またトリガスイッチ３１をオンさせることにより解除（初期状態にリセット）される。
【００７３】
以上のように構成した第２実施形態に係るタイマー機構３０を備えた起動装置１０によっても、トリガ１２がオン操作され、コンタクトアーム６がオン操作されていない状態ではタイマー機構３０が作動するため、例えばトリガ１２をオン操作したまま当該打ち込み工具１を持ち運ぶ際に、基準時間ｔの経過後であれば誤ってコンタクトアーム６を他部位に干渉させる等した場合であっても工具本体部２における不用意な打ち込み動作を防止することができる。
【００７４】
また、第２実施形態に係るタイマー装置３０も、圧縮エアを動力源として作動する部位若しくは機器を用いない構成であることから、各部の動作の機敏性（応答性）を確保して、当該打ち込み工具１の作業性（速射性）を高めることができる。さらに、図２４及び図２５に示すように先にコンタクトアーム６をオン操作する操作順であれば、アクチュエータ３４への電力供給を要することなく打ち込み動作がなされる構成であるので、第２実施形態に係るタイマー装置３０によっても電力供給のない環境下において当該打ち込み工具１を利用することができ、急な停電時においても打ち込み作業をそのまま続行することができる。
【００７５】
以上説明した第１、第２実施形態にはさらに変更を加えることができる。例えば、打ち込み工具１として圧縮エア駆動式の釘打ち機を例示したが、誤作動防止用のコンタクトアームを備える電動式タッカ等その他形態の打ち込み工具についても同様に適用することができる。
【符号の説明】
【００７６】
Ｗ…打ち込み材
１…打ち込み工具
２…工具本体部
２ｅ…ヘッドバルブ
３…グリップ部、３ａ…蓄圧室
４…打ち込みノーズ部
５…マガジン
６…コンタクトアーム
６ａ…当接部、６ｂ…延長部、６ｃ…ロック受け部、６ｄ…解除案内部
７…トリガロックレバー
１０…起動装置
１１…起動バルブ、１１ａ…バルブステム、１１ｂ…圧縮ばね
１２…トリガ、１２ａ…捩じりばね、１２ｂ…ストッパ受け部、１２ｃ…スイッチ作動部
１３…ピストン
１４…打撃ドライバ
１５…シリンダ
１６…ピストン上室
１７…起動ベース
１８…支軸
１９…アイドラ、１９ａ…支軸、１９ｂ…捩じりばね
２０…タイマー機構（第１実施形態）、ｔ…基準時間
２１…コンタクト規制部材
２１ａ…支持筒部、２１ｂ…作動部、２１ｃ…ロック受け部、２１ｄ…ストッパ部
２２…スイッチ作動部材
２２ａ…支持筒部、２２ｂ…作動アーム部、２２ｃ…補助アーム部、２２ｄ…ストッパ部
２３…タイマースイッチ、２３ａ…作動レバー
２４…アクチュエータ、２４ａ…作動軸
２５…支軸
２６…捩じりばね
２７…コントローラ
３０…タイマー機構（第２実施形態）
３１…トリガスイッチ、３１ａ…作動レバー
３２…コンタクトスイッチ、３２ａ…作動レバー
３３…コンタクト規制部材
３３ａ…支持筒部、３３ｂ…作動部、３３ｃ…ロックアーム部、３３ｄ…ストッパ部
３４…アクチュエータ、３４ａ…作動軸
３５…コントローラ
３６…支軸
３７…捩じりばね
ｔ…基準時間
【図１】
2018144123.tif 000003
【図２】
2018144123.tif 000004
【図３】
2018144123.tif 000005
【図４】
2018144123.tif 000006
【図５】
2018144123.tif 000007
【図６】
2018144123.tif 000008
【図７】
2018144123.tif 000009
【図８】
2018144123.tif 000010
【図９】
2018144123.tif 000011
【図１０】
2018144123.tif 000012
【図１１】
2018144123.tif 000013
【図１２】
2018144123.tif 000014
【図１３】
2018144123.tif 000015
【図１４】
2018144123.tif 000016
【図１５】
2018144123.tif 000017
【図１６】
2018144123.tif 000018
【図１７】
2018144123.tif 000019
【図１８】
2018144123.tif 000020
【図１９】
2018144123.tif 000021
【図２０】
2018144123.tif 000022
【図２１】
2018144123.tif 000023
【図２２】
2018144123.tif 000024
【図２３】
2018144123.tif 000025
【図２４】
2018144123.tif 000026
【図２５】
2018144123.tif 000027
【図２６】
2018144123.tif 000028
【図２７】
2018144123.tif 000029